(57)【要約】【課題】ランプの配置変更やリニューアル、移動、増灯などを自由自在に行うことができるシステム天井用照明器具を提供することにある。【解決手段】天井支持バー（１）が格子状に配列されてユニット格子部（２）が形成され、このユニット格子部（２）が複数等分に分割されてユニット（３）となり、このユニット（３）のうち、一部のユニット（３）に器具本体（４）が設けられ、この器具本体（４）にランプ（５）が設けられるとともに、同器具本体（４）の側面部（６）が、上記天井支持バー（１）の上に載せ掛けられて同天井支持バー（１）に対して固定されるようになした。【選択図】    図１
2004355830.tif 000002
【特許請求の範囲】
【請求項１】
天井支持バーが格子状に配列されてユニット格子部が形成され、このユニット格子部が複数等分に分割されてユニットとなり、このユニットのうち、一部のユニットに器具本体が設けられ、この器具本体にランプが設けられるとともに、同器具本体の側面部が、上記天井支持バーの上に載せ掛けられて同天井支持バーに対して固定されるようになしたことを特徴とするシステム天井用照明器具。
【請求項２】
上記器具本体の側面部に外方へ突出した取付部を設けるとともに、この取付部が上記天井支持バーの上に直に載せ掛けられて同天井支持バーに対して固定されるようになしたことを特徴とする請求項１記載のシステム天井用照明器具。
【請求項３】
上記複数等分に分割されたユニットのうち、残りのユニットには設備用パネルが上記器具本体に対して突き付けるように配設されて取り付けられたことを特徴とする請求項１または請求項２記載のシステム天井用照明器具。
【発明の詳細な説明】
【０００１】
【発明の属する技術分野】
本発明は、システム天井用照明器具に関し、具体的には、天井支持バーにて格子状に形成されたシステム天井に取り付けられるのに有用なシステム天井用照明器具に関するものである。
【０００２】
【従来の技術】
従来のシステム天井用照明器具としては、例えば、図７および図８に示すごとく、天井支持バー（１）が格子状に配列されてユニット格子部（２）が形成され、このユニット格子部（２）の１つ１つをユニット（３）となし、このユニット（３）のそれぞれでエンド部（１３）の略中程に取付金具（１２）を設けた器具本体（４）を上記天井支持バー（１）の上に載せ掛けられて同天井支持バー（１）に対して固定されるようになしたものが知られていた。そして、上記ユニット（３）を分割して使用する場合、同図に示したように器具本体（４）内を予め分割しておき、必要に応じて、設備プレート（１１）を取り付けるとともに、蛍光灯などのランプ（５）が設けられているものである。
【０００３】
また、下記の特許文献１に示されている特開平８−１３５０７８号公報のようなものも知られていた。具体的には、図９および図１０に示すごとく、天井支持バー（１）が格子状に配列されてユニット格子部（２）が形成され、このユニット格子部（２）の１つ１つをユニット（３）となし、このユニット（３）のそれぞれで周囲の略中程に取付金具（１２）を設けた器具本体（４）を上記天井支持バー（１）の上に載せ掛けられて同天井支持バー（１）に対して固定されるとともに、器具本体（４）内に点灯装置（１０）や反射板（１５）を納め、蛍光灯などのランプ（５）が設けられて、同器具本体（４）の下面側からルーバー（１４）が取り付けられていたものであった。
【０００４】
【特許文献１】
特開平８−１３５０７８号公報
【０００５】
【発明が解決しようとする課題】
しかしながら、このような従来のシステム天井用照明器具においては、図７および図８に示す場合であると、施工現場においてユニット格子部（２）ごとの取り替えは行えるものの、ユニット（３）を分割して使用を行おうとすると、器具本体（４）内を予め分割してつくられたものを用意しておく必要があり、ランプ（５）を増灯させたり、減灯させたり、あるいは、ランプ（５）の位置を変更するためには、それぞれの形態などに応じて分割された器具本体（４）を用意しなければならず、しかも、施工現場にて器具本体（４）の取り替えを行わなければ、ランプ（５）の配置変更やリニューアル、移動、増灯などを簡単に行うことができないものであった。
【０００６】
また、上記の特許文献１に示されている特開平８−１３５０７８号公報のような図９および図１０に示す場合であっても、施工現場においてユニット格子部（２）ごとの取り替えは行えるものの、ユニット（３）を分割して使用を行おうとすると、器具本体（４）の反射板（１５）内を予め分割してつくられたものを用意しておく必要があり、ランプ（５）を増灯させたり、減灯させたり、あるいは、ランプ（５）の位置を変更するためには、それぞれの形態などに応じて分割された反射板（１５）を用意しなければならず、しかも、施工現場にて反射板（１５）の取り替えを行わなければ、ランプ（５）の配置変更やリニューアル、移動、増灯などを簡単に行うことができないものであった。
【０００７】
本発明は、上述の問題を解決するためになされたものであって、その目的とするところは、ランプの配置変更やリニューアル、移動、増灯などを自由自在に行うことができるシステム天井用照明器具を提供するものである。
【０００８】
【課題を解決するための手段】
本発明の請求項１に係るシステム天井用照明器具は、天井支持バー（１）が格子状に配列されてユニット格子部（２）が形成され、このユニット格子部（２）が複数等分に分割されてユニット（３）となり、このユニット（３）のうち、一部のユニット（３）に器具本体（４）が設けられ、この器具本体（４）にランプ（５）が設けられるとともに、同器具本体（４）の側面部（６）が、上記天井支持バー（１）の上に載せ掛けられて同天井支持バー（１）に対して固定されるようになしたことを特徴とする。
【０００９】
本発明の請求項２に係るシステム天井用照明器具は、上記器具本体（４）の側面部（６）に外方へ突出した取付部（７）を設けるとともに、この取付部（７）が上記天井支持バー（１）の上に直に載せ掛けられて同天井支持バー（１）に対して固定されるようになしたことを特徴とする。
【００１０】
本発明の請求項３に係るシステム天井用照明器具は、上記複数等分に分割されたユニット（３）のうち、残りのユニット（３）には設備用パネル（８）が上記器具本体（４）に対して突き付けるように配設されて取り付けられたことを特徴とする。
【００１１】
【発明の実施の形態】
以下、本発明を実施形態に係る図面に基づいて詳しく説明する。
【００１２】
図１は、本発明の第１の実施形態に係るシステム天井用照明器具を示した断面図である。図２は、図１のシステム天井用照明器具を示した要部のみの斜視図である。図３の（ａ）は、図１のシステム天井用照明器具を説明するための断面図であり、図３の（ｂ）は、同図３の（ａ）のシステム天井用照明器具の下面図である。
【００１３】
また、図４は、本発明の第２の実施形態に係るシステム天井用照明器具を示した断面図である。そして、図５は、本発明の第３の実施形態に係るシステム天井用照明器具を示した断面図である。図６は、本発明のシステム天井用照明器具において、取り付けを変更する際の様子を示した下面図である。
【００１４】
本発明のシステム天井用照明器具は、図１ないし図６に示すごとく、天井支持バー（１）が格子状に配列されてユニット格子部（２）が形成され、このユニット格子部（２）が複数等分に分割されてユニット（３）となり、このユニット（３）のうち、一部のユニット（３）に器具本体（４）が設けられ、この器具本体（４）にランプ（５）が設けられるとともに、同器具本体（４）の側面部（６）が、上記天井支持バー（１）の上に載せ掛けられて同天井支持バー（１）に対して固定されるようになしているものである。
【００１５】
上記天井支持バー（１）は、図２および図６に示すごとく、格子状に配列されているものである。そして、この天井支持バー（１）が格子状に配列されてユニット格子部（２）が形成されているものである。この天井支持バー（１）の内で同天井支持バー（１）の端部上に天井パネルや設備用パネル（８）、あるいは、器具本体（４）やその他に天井に設置される必要のある設備機器を載置するようにして支持しているものである。この天井支持バー（１）は、例えば、同天井支持バー（１）とクロスするようにして設けられた取付バーなどを介して吊り具によって取り付けられているものである。この天井支持バー（１）の材質は、通常金属製のものが用いられるが、天井パネルなどを支持する強度を有しているものであれば、樹脂製のものなどその他の材質のものが採用されたとしてもかまわないものである。
【００１６】
上記ユニット（３）は、図１ないし図６に示すごとく、上記ユニット格子部（２）が複数等分に分割されて形成されているものである。このユニット（３）は、複数等分に分割されていれば、２等分であっても、３等分であっても、あるいは、４等分以上のいずれでもかまわないものである。例えば、図３の（ａ）および（ｂ）に示す場合であると、このユニット（３）は、３等分に分割されて形成されているものである。
【００１７】
本発明においては、図１ないし図６に示すごとく、上記ユニット（３）のうち、一部のユニット（３）に上記器具本体（４）が設けられているものである。この器具本体（４）内に蛍光灯などのランプ（５）や通常安定器といわれているような点灯装置（１０）などが納められているものである。なお、この器具本体（４）の上部には、図１に示すごとく、空気が吹き出す吹出口（９）が配置されていてもかまわないものである。この吹出口（９）により、器具本体（４）の裏側を使って換気などを行うようにすることができるものである。
【００１８】
上記器具本体（４）の側面部（６）が、図１ないし図５に示すごとく、上記天井支持バー（１）の上に載せ掛けられて同天井支持バー（１）に対して固定されるようになしているものである。この器具本体（４）の側面部（６）は、天井支持バー（１）の上に載せ掛けられるようになっていれば、その形態は特に制限されるものではないものである。
【００１９】
本発明は、このような構成をとることによって、施工現場においてユニット格子部（２）ごとの取り替えは行える上に、ユニット格子部（２）が複数等分に分割されてユニット（３）を形成しているために、照明器具を取り付けたり、設備用のプレートを取り付けたりというようにユニット（３）ごとの取り替えも簡単に行えるものであり、しかも、ランプ（５）が設けられる器具本体（４）の側面部（６）が、天井支持バー（１）の上に載せ掛けられて同天井支持バー（１）に対して固定されるようになっているために、器具本体（４）の取り付けとしても簡単なものとなっている。
【００２０】
すなわち、本発明は、ランプ（５）の配置変更やリニューアル、移動、増灯などを自由自在に行うことができるものである。
【００２１】
上記ランプ（５）の配置変更として、一例を挙げると、図６の［１］から［２］に示すように、ユニット格子部（２）内で各ユニット（３）を９０°回転させたようにして簡単に配置することができるものである。
【００２２】
また、図２および図３の（ａ）、（ｂ）に示すごとく、上記器具本体（４）の側面部（６）に外方へ突出した取付部（７）を設けるとともに、この取付部（７）が上記天井支持バー（１）の上に直に載せ掛けられて同天井支持バー（１）に対して固定されるようになしているものであると、ユニット（３）ごとの取り替えの際に、器具本体（４）の側面部（６）に外方へ突出した取付部（７）を天井支持バー（１）の上に直に載せ掛けるだけで、器具本体（４）の取り付けが簡単に行われ、逆に、取付部（７）を天井支持バー（１）から外すだけで、器具本体（４）の取り外しとしても簡単に行われるものとなり、結果として、ランプ（５）の配置変更やリニューアル、移動、増灯などをより一層確実、かつ、簡単に行うことができるものとなる。
【００２３】
このようにして、それぞれの器具本体（４）の側面部（６）に外方へ突出した取付部（７）を設けていると、天井支持バー（１）の上に器具本体（４）の側面部（６）が直に載せ掛けられて同天井支持バー（１）に対してより一層簡単に固定されるようになるものである。ランプの配置変更においても、図１から図４のように、または、図５のように、といったように、簡単に行えるものである。
【００２４】
そして、図１、図２および図４に示すごとく、上記複数等分に分割されたユニット（３）のうち、残りのユニット（３）には設備用パネル（８）が上記器具本体（４）に対して突き付けるように配設されて取り付けられているものであると、複数等分に分割されたユニット（３）を器具本体（４）と設備用パネル（８）とを組み合わせて様々な配置を行うことができ、また、ユニット格子部（２）ごとにこの器具本体（４）と設備用パネル（８）との組み合せを替えたりして、バリエーションに富んだランプ（５）の配置変更やリニューアル、移動をより一層確実、かつ、簡単に行うことができるものとなる。
【００２５】
【発明の効果】
本発明の請求項１に係るシステム天井用照明器具によると、施工現場においてユニット格子部（２）ごとの取り替えは行える上に、ユニット格子部（２）が複数等分に分割されてユニット（３）を形成しているために、照明器具を取り付けたり、設備用のプレートを取り付けたりというようにユニット（３）ごとの取り替えも簡単に行えるものであり、しかも、ランプ（５）が設けられる器具本体（４）の側面部（６）が、天井支持バー（１）の上に載せ掛けられて同天井支持バー（１）に対して固定されるようになっているために、器具本体（４）の取り付けとしても簡単なものとなっている。
【００２６】
すなわち、本発明は、ランプ（５）の配置変更やリニューアル、移動、増灯などを自由自在に行うことができるものである。
【００２７】
本発明の請求項２に係るシステム天井用照明器具によると、請求項１記載の場合に加えて、ユニット（３）ごとの取り替えの際に、器具本体（４）の側面部（６）に外方へ突出した取付部（７）を天井支持バー（１）の上に直に載せ掛けるだけで、器具本体（４）の取り付けが簡単に行われ、逆に、取付部（７）を天井支持バー（１）から外すだけで、器具本体（４）の取り外しとしても簡単に行われるものとなり、結果として、ランプ（５）の配置変更やリニューアル、移動、増灯などをより一層確実、かつ、簡単に行うことができるものとなる。
【００２８】
本発明の請求項３に係るシステム天井用照明器具によると、請求項１または請求項２記載の場合に加えて、複数等分に分割されたユニット（３）を器具本体（４）と設備用パネル（８）とを組み合わせて様々な配置を行うことができ、また、ユニット格子部（２）ごとにこの器具本体（４）と設備用パネル（８）との組み合せを替えたりして、バリエーションに富んだランプ（５）の配置変更やリニューアル、移動をより一層確実、かつ、簡単に行うことができるものとなる。
【図面の簡単な説明】
【図１】本発明の第１の実施形態に係るシステム天井用照明器具を示した断面図である。
【図２】図１のシステム天井用照明器具を示した要部のみの斜視図である。
【図３】（ａ）は、図１のシステム天井用照明器具を説明するための断面図であり、（ｂ）は、（ａ）のシステム天井用照明器具の下面図である。
【図４】本発明の第２の実施形態に係るシステム天井用照明器具を示した断面図である。
【図５】本発明の第３の実施形態に係るシステム天井用照明器具を示した断面図である。
【図６】本発明のシステム天井用照明器具において、取り付けを変更する際の様子を示した下面図である。
【図７】一従来例に係るシステム天井用照明器具を示した分解斜視図である。
【図８】図７のシステム天井用照明器具を示した断面図である。
【図９】他の一従来例に係るシステム天井用照明器具を示した斜視図である。
【図１０】図９のシステム天井用照明器具を示した分解斜視図である。
【符号の説明】
１    天井支持バー
２    ユニット格子部
３    ユニット
４    器具本体
５    ランプ
６    側面部
７    取付部
８    設備用パネル
【図１】
2004355830.tif 000003
【図２】
2004355830.tif 000004
【図３】
2004355830.tif 000005
【図４】
2004355830.tif 000006
【図５】
2004355830.tif 000007
【図６】
2004355830.tif 000008
【図７】
2004355830.tif 000009
【図８】
2004355830.tif 000010
【図９】
2004355830.tif 000011
【図１０】
2004355830.tif 000012